(57)【要約】【課題】支柱用単管パイプどうしを連結用単管パイプで簡易かつ迅速に連結することのできる支柱用単管パイプの連結方法を提供する。【解決手段】短管８と、この短管８の外周の一部または複数個所に設けられた楔受け部１１とを備えている単管パイプ用アタッチメント１を用意し、該単管パイプ用アタッチメント１の短管８を支柱用単管パイプ７に抜き差し可能に挿通固定するとともに、楔受け部１１に連結用単管パイプ９の両端部に設けた楔形係合金具１０を着脱可能に嵌合係止する。【選択図】図４
2011247033.tif 000002
【特許請求の範囲】
【請求項１】
支柱用単管パイプに抜き差し可能に挿通固定される短管と、この短管の外周の一部または複数個所に設けられ、連結用単管パイプの両端部に設けた楔形係合金具が着脱可能に嵌合係止される楔受け部とを備えていることを特徴とする、単管パイプ用アタッチメント。
【請求項２】
前記楔形係合金具は略Ｌ字形状の楔形片と、この楔形片の基部を一端に保持する短管とを備えており、前記短管は、前記連結用単管パイプの両端部に内嵌もしくは外嵌固定される径を有する形に形成されている、請求項１記載の単管パイプ用アタッチメント。
【請求項３】
支柱用単管パイプ同士を連結用単管パイプで連結するに際し、短管と、この短管の外周の一部または複数個所に設けられた楔受け部とを備えている単管パイプ用アタッチメントを用意し、該単管パイプ用アタッチメントの短管を前記支柱用単管パイプに抜き差し可能に挿通固定するとともに、前記楔受け部に前記連結用単管パイプの両端部に設けた楔形係合金具を着脱可能に嵌合係止することを特徴とする、単管パイプ用アタッチメントを用いた支柱用単管パイプの連結方法。
【発明の詳細な説明】
【技術分野】
【０００１】
本発明は、鉄パイプ等の単管パイプを組み合わせて足場（単管足場）、作業台、フェンス、ビニールハウスなどを構築するのに好適な単管パイプ用アタッチメント、及びそれを用いた支柱用単管パイプの連結方法に関する。
【背景技術】
【０００２】
鉄パイプ等の単管パイプを組み合わせて足場（単管足場）などを構築する技術については、例えば、下記の特許文献１〜３に開示されている。
【０００３】
特許文献１に記載の発明の下屋用梁は、住宅の建設現場において、住宅の周囲にジャッキベース（９）と支柱（支柱用単管パイプ）（１０）を一定間隔で配置し、これらの支柱（１０）を水平横繋ぎ（連結用単管パイプ）（１２）で連結して仮設足場（６）を構築する。その際、水平横繋ぎ（１２）は、その両端部に設けられた楔形係合部（３４）を支柱（１０）の鉛直方向に所定間隔で一体に設けられた箱型連結部（１６）に挿入して支柱（１０），（１０）同士を連結するというものである。
【０００４】
しかるに、特許文献１に記載の発明の下屋用梁によれば、クランプを用いて単管パイプ同士をつなぐという特許文献２に記載の発明の構造材連結具や、多数の管継手を用いて単管パイプ同士をつなぐという特許文献３に記載の発明の直方体状の架構のように多くの煩わしいつなぎ工数を要するものに比べて、水平横繋ぎ（１２）の両端部の楔形係合部（３４）を支柱（１０）側の箱型連結部（１６）に挿入するだけの簡単な操作で迅速に連結することができるという利点がある。
【先行技術文献】
【特許文献】
【０００５】
【特許文献１】特開平１０−１８５８０号公報
【特許文献２】特開平６−２８８０８２号公報
【特許文献３】実開平２−１０５４６３号公報
【発明の概要】
【発明が解決しようとする課題】
【０００６】
しかしながら、上記特許文献１に記載の発明では、予め複数個の箱型連結部（１６）が支柱（１０）の鉛直方向に所定間隔で一体に設けられているため、対象構築物の違いや現場状況によって一つの支柱（１０）上の箱型連結部（１６）の全てが使用されるとは限られず、箱型連結部（１６）が不使用のまま支柱（１０）に突出状態で残されることがある。この場合、不使用の箱型連結部（１６）に、現場施工の際、または施工後、他物が引っ掛かるなどして邪魔になったり、見栄えを悪くしたりするという問題があった。こうした問題は、足場以外の、作業台やフェンス、あるいはビニールハウスなどを構築する場合に顕著に現れる。
【０００７】
また、予め複数個の箱型連結部（１６）が支柱（１０）の鉛直方向に所定間隔で一体に設けられていると、地表の不陸や段差により、隣り合う支柱（１０），（１０）のうちの一方に固定されている箱型連結部（１６）の地上からの高さと、他方に固定されている箱型連結部（１６）の地上からの高さとが、ジャッキベース（９）で高さ調整しても、合致しないことがあり、そのため箱型連結部（１６），（１６）間に水平横繋ぎ（１２）の両端部の楔形係合部（３４），（３４）を係合させることが不可能になるという不具合が生じることもあった。こうした場合、その地表の高低段差が箱型連結部（１６），（１６）どうし間の間隔に見合わないため、たとえば、段差用敷板などを特別に用意することになるが、これでは更に組み立て工数や部材点数の増大を招く原因になる。
さらに、全ての箱型連結部（１６）群が一体に設けられている上記支柱（１０）では、使用に伴い、そのいずれか一つの箱型連結部（１６）が損傷しても、他の箱型連結部（１６）を含む支柱（１０）全体を取り替えなければならないという不経済な面もあった。
【０００８】
本発明は、このような問題を解決するためになされたもので、その目的とするところは、上記のような、水平繋ぎ（連結用単管パイプ）の両端部に設けられた楔形係合金具を支柱（支柱用単管パイプ）に取り付けられる単管パイプ用アタッチメントの箱型連結部（楔受け部）に挿入して支柱用単管パイプ同士を連結するものにおいて、単管パイプ用アタッチメント個々の取り付け高さを任意に調整できるように改善することにより支柱用単管パイプどうしの連結作業の簡素化を確保し得ながら、支柱用単管パイプ上に不使用の単管パイプ用アタッチメントを残すような無駄をなくすることができ、また地表の不陸や段差によく対応できる単管パイプ用アタッチメント、及びそれを用いた支柱用単管パイプの連結方法を提供することにある。
【課題を解決するための手段】
【０００９】
本発明の単管パイプ用アタッチメントは、請求項１に記載のように、支柱用単管パイプに抜き差し可能に挿通固定される短管と、この短管の外周の一部または複数個所に設けられ、連結用単管パイプの両端部に設けた楔形係合金具が着脱可能に嵌合係止される楔受け部とを備えていることに特徴を有するものである。
【００１０】
請求項１記載の本発明によれば、連結用単管パイプの楔形係合金具を支柱用単管パイプ上の単管パイプ用アタッチメントの楔受け部に嵌合係止するだけの簡単な操作で支柱用単管パイプどうしを迅速に連結することができる。
しかも、単管パイプ用アタッチメントは支柱用単管パイプに対し抜き差し可能に挿通固定されているので、単管パイプ用アタッチメントを支柱用単管パイプの任意位置に高さ調整して固定でき、連結用単管パイプを支柱用単管パイプの任意箇所につなぐことができる。したがって、対象構築物の違いや現場状況に応じて、支柱用単管パイプに単管パイプ用アタッチメントを必要な個数だけ差し込めばよく、支柱用単管パイプ上に不使用の単管パイプ用アタッチメントを残すような無駄をなくすことができる。
また、単管パイプ用アタッチメント個々の取り付け高さを任意に調整できることにより、支柱用単管パイプを高低差のある地表に並べて配置した場合においても、敢えてジャッキベースを用いなくとも、両支柱用単管パイプ上の単管パイプ用アタッチメントどうしの取り付け高さを揃えることができるため、その両支柱用単管パイプどうしを連結用単管パイプで連結することができる。さらに、楔受け部を有する単管パイプ用アタッチメントは支柱用単管パイプに対し抜き差し可能に挿通しているので、複数の単管パイプ用アタッチメントのうちそのいずれが破損しても、その破損した単管パイプ用アタッチメントのみを簡単に取り替えることができて極めて経済的である。したがって、従来の、予め複数個の箱型連結部（１６）が支柱（１０）の鉛直方向に所定間隔で一体に設けられている場合に生じるような前述した諸問題を解消できて有利である。
【００１１】
請求項２に記載の本発明は、請求項１記載の単管パイプ用アタッチメントにおいて、前記楔形係合金具は略Ｌ字形状の楔形片と、この楔形片の基部を一端に保持する短管とを備え、前記短管は、前記連結用単管パイプの両端部に内嵌もしくは外嵌固定される径を有する形に形成されているものである。
【００１２】
請求項２に記載の本発明によれば、楔形係合金具の楔形片の基部を一端に保持する短管は、連結用単管パイプの両端部に内嵌もしくは外嵌固定される径を有する形に形成されているので、長尺の連結用単管パイプを所望長さに切断したうえで、この切断端に楔形係合金具を取り付けて使用するという方法を採用することができる。したがって、現場において、必要な長さの連結用単管パイプをすぐに且つ容易に入手することができて便利である。
【００１３】
請求項３に記載の本発明の単管パイプ用アタッチメントを用いた支柱用単管パイプの連結方法は、支柱用単管パイプ同士を連結用単管パイプで連結するに際し、短管と、この短管の外周の一部または複数個所に設けられた楔受け部とを備えている単管パイプ用アタッチメントを用意し、該単管パイプ用アタッチメントの短管を前記支柱用単管パイプに抜き差し可能に挿通固定するとともに、前記楔受け部に前記連結用単管パイプの両端部に設けた楔形係合金具を着脱可能に嵌合係止することに特徴を有するものである。
【００１４】
請求項３に記載の本発明の単管パイプ用アタッチメントを用いた支柱用単管パイプの連結方法によれば、請求項１記載の本発明の場合と同様に、連結用単管パイプの楔形係合金具を支柱用単管パイプ上の単管パイプ用アタッチメントの楔受け部に嵌合係止するだけの簡単な操作で支柱用単管パイプどうしを迅速に連結することができるうえに、支柱用単管パイプ上に不使用の単管パイプ用アタッチメントを残すような無駄をなくすことができ、また地表の不陸や段差によく対応できるという利点がある。
【発明の効果】
【００１５】
本発明によれば、支柱用単管パイプどうしを簡便且つ迅速に連結することができ、また見栄えの良い足場等を創出することができる。
【図面の簡単な説明】
【００１６】
【図１】本発明の一実施例の単管パイプ用アタッチメントの一方受け金具を示し、（ａ）はその平面図、（ｂ）はその側面図、（ｃ）はその正面図である。
【図２】本発明の一実施例の楔形係合金具を示し、（ａ）はその正面図、（ｂ）は連結用単管パイプの一端側に取り付けた状態の正面図である。
【図３】支柱用単管パイプに連結用単管パイプをつなぐ前の状態を示す斜視図である。
【図４】支柱用単管パイプに連結用単管パイプをつないだ状態を示す斜視図である。
【図５】本発明の他の実施例の楔形係合金具を示し、（ａ）はその正面図、（ｂ）は連結用単管パイプの一端側に取り付けた状態の正面図である。
【図６】本発明の一実施例の単管パイプ用アタッチメントの二方受け金具を示し、（ａ）はその平面図、（ｂ）はその側面図、（ｃ）はその正面図である。
【図７】本発明の他の実施例の単管パイプ用アタッチメントの二方受け金具を示し、（ａ）はその平面図、（ｂ）はその側面図、（ｃ）はその正面図である。
【図８】本発明の一実施例の単管パイプ用アタッチメントの三方受け金具を示し、（ａ）はその平面図、（ｂ）はその側面図、（ｃ）はその正面図である。
【図９】本発明の一実施例の単管パイプ用アタッチメントの四方受け金具を示し、（ａ）はその平面図、（ｂ）はその側面図、（ｃ）はその正面図である。
【図１０】本発明の一実施例の単管パイプ用アタッチメントの八方受け金具を示し、（ａ）はその平面図、（ｂ）はその側面図、（ｃ）はその正面図である。
【図１１】直方体状の架構の斜視図である。
【図１２】図１１の架構の一隅に位置する支柱用単管パイプと連結用単管パイプのつなぎ状態を示す斜視図である。
【図１３】図１１の架構の四隅に位置する支柱用単管パイプどうし間の中間に位置する支柱用単管パイプと連結用単管パイプのつなぎ状態を示す斜視図である。
【図１４】図１１の架構の内部中央に位置する支柱用単管パイプと連結用単管パイプのつなぎ状態を示す斜視図である。
【発明を実施するための形態】
【００１７】
以下、本発明の実施形態を図面に基づき説明する。
【００１８】
本発明に係る単管パイプ用アタッチメント１は、図１に示す一方受け金具２や図６、図７に示す二方受け金具３、図８に示す三方受け金具４、図９に示す四方受け金具５、あるいは図１０に示す八方受け金具６などからなる。
【００１９】
そのうち、一方受け金具２は、図１〜図４に示すように、支柱用単管パイプ７に抜き差し可能に挿通固定される鉄パイプ等よりなる短管８と、この短管８の外周の一部に設けられ、横架材、手摺類あるいは筋交い等に兼用される鉄パイプ等よりなる連結用単管パイプ９の両端部に設けた楔形係合金具１０が着脱可能に嵌合係止される楔受け部１１とを備えてなる。
【００２０】
図１に示すように、一方受け金具２の楔受け部１１は断面コの字形状に形成されて、短管８の外周一部に溶接等で一体的に結合されることで短管８の外面との間に楔形係合金具１０の形状に対応する下方窄まり状でかつ上下貫通状の嵌合孔１２を形成している。短管８の楔受け部１１以外の任意箇所には固定用孔１３が設けられ、この固定用孔１３からねじ込まれる止めねじあるいはボルト１４（図１２〜図１４参照）で短管８を支柱用単管パイプ７に対し固定するようにしている。
なお、固定の仕方が止めねじやボルト等に限られないことは言うまでもなく、固定用孔１３の位置やその個数も図示のものに限られない。
【００２１】
図２に示すように、連結用単管パイプ９の両端部に設けられる楔形係合金具１０は、略Ｌ字形状の楔形片１０ａと、この楔形片１０ａの基部を一端に保持し、連結用単管パイプ９の端部に外嵌固定される径を有する形の短管１０ｂとを備えている。一方、図５に示すように、楔形係合金具１０の短管１０ｂは連結用単管パイプ９の端部に内嵌固定される径を有する形に形成することもできる。
図２に示す楔形係合金具１０においては、短管１０ｂには固定用孔１５が設けられ、この固定用孔１５からねじ込まれる止めねじあるいはボルト１６（図１３、図１４参照）で短管１０ｂを連結用単管パイプ９の端部に対し固定するようにしている。図５に示す楔形係合金具１０においては、短管１０ｂに設けた固定用孔１５と連結用単管パイプ９の端部に設けた固定用孔１８とを合わせ、この固定用孔１８からねじ込まれる止めねじあるいはボルト（図示省略）で短管１０ｂを連結用単管パイプ９の端部に対し固定するようにしている。これによると、現場等において長尺の連結用単管パイプ９を所望長さに切断したうえで、この切断端に楔形係合金具１０を取り付けることができるため、現場において、必要な長さの連結用単管パイプをすぐに且つ容易に入手することができて便利である。尤も、固定の仕方がこれらに限られないことは言うまでもない。
なお、楔形係合金具１０は、連結用単管パイプ９の両端部に溶接等で一体結合したものであってもよい。
【００２２】
図３及び図４に示すように、支柱用単管パイプ７の所望位置に挿通固定される一方受け金具２の楔受け部１１の嵌合孔１２に、連結用単管パイプ９の両端部に設けられる楔形係合金具１０の楔形片１０ａが嵌合係止されることで、支柱用単管パイプ７と連結用単管パイプ９とがつながれる。
【００２３】
二方受け金具３は、図６に示すように、支柱用単管パイプ７に抜き差し可能に挿通固定される短管８の外周に、一対の、上記楔受け部１１と同じ形状の楔受け部１１を対称に溶接等で一体的に結合している。そのほかに、二方受け金具３は、図７に示すように、短管８の外周に一対の楔受け部１１，１１を互いに直交する向きになるように溶接等で一体的に結合するものもある。
【００２４】
三方受け金具４は、図８に示すように、支柱用単管パイプ７に抜き差し可能に挿通固定される短管８の外周に、楔受け部１１を三方に溶接等で一体的に結合している。四方受け金具５は、図９に示すように、支柱用単管パイプ７に抜き差し可能に挿通固定される短管８の外周に、楔受け部１１を四方に溶接等で一体的に結合している。そのほかに、図示省略するが、五方受け金具、六方受け金具、七方受け金具、あるいは図１０に示すごとき八方受け金具６、さらに必要に応じて楔受け部１１を九つ以上の方向に設ける受け金具を用意することもできる。
また、例えば三方受け金具４は図８に示すように、四方受け金具５は図９に示すように、それぞれ略９０度間隔で、整然と設けられているが、被建築物の構造如何によっては、楔受け部１１の設ける間隔を自在に異ならせてもよい。三方受け金具４を例にとると、例えば一つ目の楔受け部１１から二つ目の楔受け部１１までの角度が略１３０度で、二つ目の楔受け部１１から三つ目の楔受け部１１までの角度が略１５０度という風にしても、本発明の「楔受け部」に含まれる。
【００２５】
次に、本発明の上記のように構成した各種の単管パイプ用アタッチメント１（二方受け金具３，三方受け金具４，四方受け金具５）を用いた支柱用単管パイプ７の連結方法を、図１１に例示するような作業台やビニールハウスなどに用いられる直方体状の架構１７の組み立てに適用した場合の実施例について説明する。
【００２６】
架構１７は、複数本の支柱用単管パイプ７を所定間隔で配置し、隣り合う支柱用単管パイプ７，７どうしを連結用単管パイプ９で連結して構成する。
すなわち、直方体状の架構１７の四隅Ａのそれぞれに位置する各支柱用単管パイプ７上においては、図１２に示すように、単管パイプ用アタッチメント１として図７に示すような、短管８の外周に一対の楔受け部１１，１１を互いに直交する向きになるように溶接等で一体的に結合した二方受け金具３を使用する。その際、二方受け金具３を支柱用単管パイプ７上にて移動調整して、短管８の固定用孔１３（図７（ｃ）参照）からねじ込まれる止めねじあるいはボルト１４で短管８を支柱用単管パイプ７の所望高さ位置に固定する。かくして、その二方受け金具３の楔受け部１１に連結用単管パイプ９の楔形係合金具１０の楔形片１０ａを嵌合係止する。
【００２７】
直方体状の架構１７の四隅Ａのそれぞれに位置する支柱用単管パイプ７，７どうし間の中間Ｂに位置する支柱用単管パイプ７上においては、図１３に示すように、単管パイプ用アタッチメント１として図８に示すような、短管８の外周に楔受け部１１を三方に溶接等で一体的に結合した三方受け金具４を使用する。その際、三方受け金具４を支柱用単管パイプ７上にて移動調整して、短管８の固定用孔１３（図８（ｃ）参照）からねじ込まれる止めねじあるいはボルト１４で短管８を支柱用単管パイプ７の所望高さ位置、すなわち既に隅Ａに配置した支柱用単管パイプ７上の二方受け金具３の取り付け高さと一致する高さ位置に固定する。かくして、その三方受け金具４の楔受け部１１と二方受け金具３の楔受け部１１に連結用単管パイプ９の両端部に固定した楔形係合金具１０の楔形片１０ａを嵌合係止する。これにより隅Ａに配置した支柱用単管パイプ７と中間Ｂに配置した支柱用単管パイプ７とを簡易且つ迅速に連結することができる。
【００２８】
直方体状の架構１７の内部中央Ｃに位置する支柱用単管パイプ７上においては、図１４に示すように、単管パイプ用アタッチメント１として図９に示すような、短管８の外周に楔受け部１１を四方に溶接等で一体的に結合した四方受け金具５を使用する。その際、四方受け金具５を支柱用単管パイプ７上にて移動調整して、短管８の固定用孔１３（図９（ｃ）参照）からねじ込まれる止めねじあるいはボルト１４で短管８を支柱用単管パイプ７の所望高さ位置、すなわち既に中間Ｂに配置した支柱用単管パイプ７上の三方受け金具４の取り付け高さと一致する高さ位置に固定する。かくして、その四方受け金具５の楔受け部１１と三方受け金具４の楔受け部１１に連結用単管パイプ９の両端部に固定した楔形係合金具１０の楔形片１０ａを嵌合係止する。これにより中間Ｂに配置した支柱用単管パイプ７と内部中央Ｃに配置した支柱用単管パイプ７とを簡易且つ迅速に連結することができる。
【００２９】
このように、連結用単管パイプ９の両端部に固定した楔形係合金具１０を、隣り合う支柱用単管パイプ７の単管パイプ用アタッチメント１（一方受け金具２，二方受け金具３，三方受け金具４，四方受け金具５など）の楔受け部１１に嵌合係止するだけの簡単な操作で相隣り合う支柱用単管パイプ７，７同士を迅速に連結することができる。しかも、支柱用単管パイプ７上の複数の単管パイプ用アタッチメント１は、それぞれ個別に任意の高さに移動調整できるため、不陸や段差のある地表に配置される支柱用単管パイプ７どうしをもジャッキベースを用いることなく、またはジャッキベースを併用して連結用単管パイプ９で簡易に連結することができて有利である。加えて、支柱用単管パイプ７上の複数の単管パイプ用アタッチメント１のうちそのいずれかが繰り返し使用等により破損しても、その破損した単管パイプ用アタッチメントのみを取り替えればよく、極めて経済的である。
【符号の説明】
【００３０】
１  単管パイプ用アタッチメント
７  支柱用単管パイプ
８  短管
９  連結用単管パイプ
１０  楔形係合金具
１０ａ  楔形片
１０ｂ  楔形係合金具の短管
１１  楔受け部
【図１】
2011247033.tif 000003
【図２】
2011247033.tif 000004
【図３】
2011247033.tif 000005
【図４】
2011247033.tif 000006
【図５】
2011247033.tif 000007
【図６】
2011247033.tif 000008
【図７】
2011247033.tif 000009
【図８】
2011247033.tif 000010
【図９】
2011247033.tif 000011
【図１０】
2011247033.tif 000012
【図１１】
2011247033.tif 000013
【図１２】
2011247033.tif 000014
【図１３】
2011247033.tif 000015
【図１４】
2011247033.tif 000016